(57)【要約】【課題】  破損したランプをランプ保持機構と一体でプロジェクタから引き出す際、乃至抜き取ったランプユニットを移動させる際に、作業者及び通行人等に破損したランプのガラス片等が零れ落ちる。【解決手段】  本発明のランプ交換具は、光源としてランプを用い、該ランプの交換が可能な投写型表示装置において、破損したランプのガラス片を受け止める受け部を設け、破損したランプを有するランプユニット共々投射型表示装置本体から脱着可能としたものである。【選択図】        図１
2008065239.tif 000002
【特許請求の範囲】
【請求項１】
光源としてのランプと、前記ランプを保持するランプ保持機構とを備え、前記ランプ保持機構と一体で前記ランプの交換が可能な投写型表示装置に用いるランプ交換具において、前記ランプ保持機構に保持されたままで、破損したランプが前記投射型表示装置から取り外される場合に、前記投写型表示装置の外に放出される前記破損したランプのガラス片を受け止める受止手段と、受け止めた前記ガラス片を零れ落とさない防止手段とを有し、前記破損したランプを保持する前記ランプ保持機構が収納された状態で前記投射型表示装置から取り外されることを特徴とするランプ交換具。
【請求項２】
前記受止手段と、前記防止手段とが受け皿形状により得られることを特徴とする請求項１記載のランプ交換具。
【請求項３】
前記受止手段と、前記防止手段とが袋形状により得られることを特徴とする請求項１記載のランプ交換具。
【請求項４】
請求項１記載のランプ交換具において、前記ランプ交換具が投射型表示装置を形成する機構部品の一部として用いられることを特徴とする投射型表示装置。
【発明の詳細な説明】
【技術分野】
【０００１】
この発明は光源としてランプを用い、前記ランプを保持するためのランプ保持機構とを備え、前記ランプ保持機構と一体で前記ランプの交換が可能な投写型表示装置（以下、プロジェクタと称する。）に関するものである。
【背景技術】
【０００２】
以前のプロジェクタにおいては、光源として使用されるランプは出力が小さく密閉式であるものが主流であった。しかし、現在はプロジェクタ本体の小型化及び高輝度化にともない高出力で小型だが冷却効率の高い開放型のランプが主流である。その為、ランプが破裂した場合、ガラス片等がプロジェクタ内に飛散する。この状態で破損したランプの交換を行えば、ガラス片等がプロジェクタ内から零れ落ちることになる。そこで、プロジェクタ内から零れ落ちたガラス片等が作業者及び通行人等に接触することを防止する対策が必要となっている。
【０００３】
特に高輝度型のプロジェクタは、天井に金具で固定された状態（以下、天吊と称する。）で使用される場合が多く、このような天吊で使用されるプロジェクタはランプ交換の利便性の観点から天吊のままランプ交換が行えるように金具等でランプの交換口が塞がれることのないプロジェクタの側面又は背面からランプ交換を行える設計となっているのが一般的である。
【０００４】
上記プロジェクタにおいて、天吊のまま破損したランプの交換作業を行う場合、破損したランプをランプ保持機構（以下、ランプユニットと称する。）と一体でプロジェクタから引き出す際、乃至抜き取ったランプユニットを移動させる際に、作業者及び通行人等に破損したランプのガラス片等が零れ落ちるという問題が生じていた。
【０００５】
従来のプロジェクタにおいては、ランプ冷却のための通風口を開閉式としランプ交換時にランプユニットをプロジェクタから引き出す際、自動的に通風口を閉鎖しガラス片等をランプユニット内部に留めることでガラス片等が零れ落ちるのを防止する構成にしている（例えば、特許文献１参照）（以後、従来技術１と呼ぶ。）。また別の従来のプロジェクタにおいては、ランプ冷却のための通風口を開閉式としランプ破裂時の空気圧により通風口を閉鎖しガラス片等をランプユニット内部に留めることでガラス片等が零れ落ちるのを防止する構成にしているものもある（例えば、特許文献２参照）（以後、従来技術２と呼ぶ。）。
【特許文献１】特開2002−107823号公報（第７頁、第８図）
【特許文献２】特開2002−352604号公報（第５頁、第１図）
【発明の開示】
【発明が解決しようとする課題】
【０００６】
従来技術１の光源装置では、ランプ冷却のための通風口をランプユニット挿抜時に開閉する構造であるため、ランプが破裂した際、ガラス片等がランプユニット内部に留まらず、ランプユニット外面に多数付着した状態となる。このような状態のままランプユニットを引き出せば、ランプユニット外面に付着したガラス片等が剥離し零れ落ちる。また、従来技術２の光源装置では、ランプが破裂した際のガラス片等は音速に近い速さで飛散するため、ランプ破裂時の空気圧により通風口を閉鎖するような機構的構造では、ガラス片等の飛散に追従できず、ガラス片等の一部又は多くをランプユニット内部に留めることができず、ランプユニット外部に放出され、ランプユニット外面に多数付着した状態となる。このような状態のままランプユニットを引き出せば、ランプユニット外面に付着したガラス片等が剥離し零れ落ちる。
【０００７】
加えて従来技術１及び従来技術２のいずれの構造においても、ランプ冷却のための通風口を機構部品で覆い密閉状態にする必要がある。その為、機構的に非常に複雑な構造を取る必要があるのみならず、プロジェクタの小型化及び冷却効率の向上に反する制約が加わるという課題があった。
【課題を解決するための手段】
【０００８】
この発明は、かかる問題点を解決するためになされたもので、光源としてのランプと、前記ランプを保持するランプユニットとを備え、前記ランプユニットと一体で前記ランプの交換が可能なプロジェクタにおいて、前記ランプユニットに保持されたままで、破損したランプが前記プロジェクタから取り外される場合に、前記プロジェクタの外に放出される前記破損したランプのガラス片を受け止める受止手段と、受け止めた前記ガラス片を零れ落とさない防止手段とを有し、前記破損したランプを保持する前記ランプユニットが収納された状態で前記プロジェクタから取り外されるものとしたものである。
【発明の効果】
【０００９】
この発明は光源としてのランプと、該ランプを保持するためのランプユニットとを備え、該ランプユニットと一体でランプの交換が可能なプロジェクタにおいて、主として該プロジェクタを天吊で使用した場合、破損したランプをランプユニットと一体でプロジェクタから引き出す際、乃至抜き取ったランプユニットを移動させる際に、作業者及び通行人等に破損したランプのガラス片等が零れ落ちることを防止する効果を有する。
【発明を実施するための最良の形態】
【００１０】
実施の形態１
図１はこの発明の実施の形態１におけるランプ交換具を示すものである。図１において、ランプ交換具の下面には、ランプユニット４０と共に破損したランプを抜き取る場合に、プロジェクタの外に放出される破裂等により破損したランプのガラス片等を受け止めるための受止手段を有する底部１が設けられ、この底部１で受け止めたガラス片等を零れ落とさないための防止手段を有する壁を底部１の周辺に略直立して配置している。この実施の形態１では、前記受止手段を有する底部１と前記防止手段を有する壁とで、受け皿形状が形成されている。ここで、受け皿形状とは、少なくとも周囲の１部又は全部に凸形状（ここでは壁）を有し、底面（ここでは底部１）にてガラス片等が受け止められる形状を指す。
【００１１】
これらの壁はランプ交換具後方（ランプ交換具の取り付け方向を前方とする）に位置し略長方形板状の形状を有するリアガード２、ランプ交換具後方から見て両側に位置し略台形形状をした板状のサイドガード３（以下必要に応じて右に位置するものをＲサイドガード３ａ、左に位置するものをＬサイドガード３ｂとして説明する）、及び前方に位置し略長方形板状の形状を有するフロントガード４より構成されている。なお、これらの壁は以下説明する作用を伴う場合において、特に形状は問わない。
【００１２】
上記サイドガード３のそれぞれの外壁面には相対する位置にそれぞれ略直立して長方形板状のアーム部５設けられ、これらのアーム部５はサイドガード３の前面より少し突出した位置で略直角下向きに折れ曲がった爪部６を有している。また、上記フロントガード４は上端に略直角前方に折れ曲がった略長方形板状のスカート部７を有している。さらに、略長方形板状の天部８がサイドガード３のそれぞれの上端にまたがる形で設けられている。
【００１３】
図２はこの発明の実施の形態１におけるランプ交換具をプロジェクタのランプ交換口３１に装着した状態を示すものである。図３はこの発明の実施の形態１におけるランプ交換具をプロジェクタのランプ交換口３１に装着（図２参照）し、ランプユニット４０を引き出した状態を示すものである。これら図２及び図３を用いて、この発明の実施の形態１におけるランプ交換具の使用方法及び作用について説明する。
【００１４】
なお、プロジェクタ本体３０、プロジェクタ本体３０内の光学装置（例えばランプ、このランプを含むランプユニット、ライトバルブ、ミラー、レンズ等から構成される。ライトバルブの種類等により多少構成は異なる。図示は省略）及びランプユニット４０の一般的な構造及び作用は周知であり、この発明の実施の形態１におけるランプ交換具を装着する上で説明が必要な部分以外の部分に関しては、本発明を説明する上で直接関係が無いことは自明であることから説明を省略する。また、通常ランプ交換口３１には視覚上及びランプユニット４０の容易な抜き取りを防止する目的からランプ交換口従来カバー３４（図１９参照）が設けられているが本実施の形態１に係る発明とは直接関係無いことから既に取り外された状態として説明する。
【００１５】
図２において、プロジェクタ本体３０は側面にランプ交換口３１を備え、このランプ交換口３１の両側には吸気又は排気用に１又は複数の吸排気口３２が設けられている。これらの吸排気口３２を覆うように視覚上の美観を得る等の目的から水平方向に複数のスリットを有するスリットカバー３３が設けられている。このスリットカバー３３の適当な位置のスリットにランプ交換口３１を跨ぐ形でランプ交換具の左右の爪部６をそれぞれ挿入し、これらの爪部６をスリットに引っ掛ける形でランプ交換具を保持する。このように保持することにより、左右それぞれの爪部６のスリットへの引っ掛かり部分が支点となり、回転しようとする慣性モーメントがランプ交換具の自重により働くことから、上記サイドガード３のそれぞれの前面下部（爪部６のスリットへの引っ掛かり部分より下の部分）及び上記フロントガード４の前面部がプロジェクタ本体３０でランプ交換口３１の直下付近に押しつけられ、スカート部７がランプ交換口３１内下部に挿入されることで、プロジェクタ本体３０との間に隙間なく固定される。
【００１６】
図３において、上記図２において説明したようにランプ交換具を固定した状態で、ランプユニット４０の筐体後部に位置する略四角形板状の背面部品４１の外面に設けられたコの字状の金具であるハンドル部４２を後方に引くことで、プロジェクタ本体３０の光学装置内にコネクター４３（ここでは、ランプ電源供給用のコネクター４３により軽く固定されている場合を示す。）で固定されていたランプユニット４０が引出可能となる。次にハンドル部４２を左右の上記サイドガード３をガイドとして利用し更に引くことによりランプユニット４０が光学装置から完全に抜き取られ上記底部１（図２参照）上に移動し、ランプ交換具に収納（ここでは、ランプユニット４０がランプ交換具上に完全に移動した状態をいう。）がされる。この底部１はランプユニット４０の幅以上の幅を有しランプユニット４０を収納するのに十分な長さがあれば問題ないが、多少短くても一定の効果は得られる。
【００１７】
ここで、上記リアガード２は背面部品４１の後面部が当たることでランプユニット４０が完全に抜き取られたことを確認する為の目安となる役割と共にランプユニット４０を引き出す際のストッパーとしての役割を有する。ランプユニット４０が完全に抜き取られた状態でランプ交換具をランプユニット４０共々プロジェクタ本体３０から取り外し、収納箱（図示は省略）に収める。その後、光学装置内に残ったガラス片等を取り除き新たなランプユニット４０を装着する。
【００１８】
このように構成されたランプ交換具においては、簡単な構成で実現でき、光学装置自体の構造に影響を与えることが無い。その為、プロジェクタの小型化及びランプの冷却機能に影響を与えることはなく破裂等で破損したランプのガラス片等がランプユニット４０の内部及び外面に付着した状態で引き出された際に、これらのガラス片等が剥離し落下した時は、上記底部１が受け止めることでランプ交換を行う作業者及び通行人等の頭上にガラス片等が零れ落ちることを防止することができる。更にランプ交換具をランプユニット４０共々プロジェクタ本体３０から取り外し別途用意した収納箱に納める際にも、底部１に溜まったガラス片等が零れ落ちないようにリアガード２、左右のサイドガード３及びフロントガード４が設けられているため、ランプ交換を行う作業者及び通行人等の頭上にガラス片等が零れ落ちることをさらに防止することができる。
【００１９】
この発明の実施の形態１におけるランプ交換具において、底部１に溜まったガラス片等が零れ落ちないように設けられた壁であるリアガード２、左右のサイドガード３及びフロントガード４の内、ガラス片等の付着状況等に応じて、少なくとも１つ乃至全てを設けないことも可能である。また、上記底部１全面に渡り粘着性のシート及び粘着材を設けることで、ランプ交換を行う作業者及び通行人等の頭上にガラス片等が零れ落ちることをさらに防止することができる。以下の実施の形態についても同様である。
【００２０】
なお、この発明の実施の形態１におけるランプ交換具に使用する材料は紙、プラスチック、金属又はセラミック及びこれらの結合等プロジェクタ本体３０に取り付け可能な厚みとランプユニット４０の重みに耐え得る強度を得ることができれば特に何であっても構わない。例えば、紙など強度的に比較的弱い素材を使用した場合、上記アーム部５のみの強度が不足する場合は、図４に示すように補強対策として折り曲げ部分に逆方向の折り曲げ構造５ａをそれぞれ設けることでより薄い肉厚でも必要強度を確保することもできる。また、その他の部分についても同様に強度不足が確認できる場合は適当な補強対策を施すことで実用に耐え得る強度を確保できることはいうまでもない。
【００２１】
更に図５に示すように、天部８の前方を延長しプロジェクタ本体３０の天面部３５に接する構造とし、これらの重なり合った部分の任意の位置を粘着テープ９で天面部３５に固定することで、隙間の生じやすい上記サイドガード３のそれぞれの前面上部（特に爪部６のスリットへの引っ掛かり部分より上の部分）とプロジェクタ本体３０との隙間を少なくすると共に左右それぞれの爪部６にかかる力を軽減でき、ランプ交換具をよりしっかりと固定することができる。
【００２２】
また、この発明の実施の形態１におけるランプ交換具は、図６に示すように一枚板に折り込み線及び切り込み線を入れ簡単に折りたためる構造とすることもできる。このような折りたたみ構造をとることで収納場所を小さくすることができプロジェクタ本体３０と一緒に梱包した状態で販売した場合の専有体積を小さくすることができるのみならず、プロジェクタ本体３０に収納機構を設けて収納したり、貼り付けて収納したりすることが可能となる。このように構成されたランプ交換具においては、プロジェクタ本体３０と別にランプ交換具を保管する必要が無く、機種に応じてランプ交換具を選別する手間が省けると共に誤装着のミスも防ぐことができる。
【００２３】
実施の形態２
上記実施の形態１では、プロジェクタ本体３０のスリットカバー３３に設けられた適当な位置のスリットにランプ交換口３１を跨ぐ形で左右のアーム部５の有する爪部６を挿入し、これら左右の爪部６をスリットに引っ掛ける形でランプ交換具を保持するように構成していたが、上記ランプ交換口従来カバー３４を固定する（蓋を閉める）際のネジ穴３６を利用して保持することも可能である。
【００２４】
図７はこの発明の実施の形態２におけるランプ交換具をプロジェクタのランプ交換口３１に装着した状態を示すものである。ここで上記実施の形態１で示された番号と同一番号が付された部分は、同様の作用効果を有する部分である為、説明を省略する。
【００２５】
図７において、Ｒサイドガード３ａはネジによりプロジェクタ本体３０に固定する為のステイ部１０を有し、このステイ部１０に設けられたネジ貫通孔１１を通してネジ穴３６にネジ止めすることによりランプ交換具を固定する。この場合、ネジ穴３６は通常1箇所であるためＬサイドガード３ｂは略台形形状を有する必要は無く、実施の形態１に比べて高さの低い略長方形板状の構造を有するもので構わない。なお、このように一箇所で固定すると支点が一箇所となり反時計回りに回転しようとする慣性モーメントがランプ交換具の自重により働くが、上記スカート部７がランプ交換口３１内下部に挿入されることでストッパーとして働き水平な状態で固定することができる。
【００２６】
なお、この発明の実施の形態２におけるランプ交換具の使用方法及び作用については取り付け方法以外は上記実施の形態１とほぼ同様である為、説明を省略する。
【００２７】
このように構成されたランプ交換具においては、簡単な構成で実現でき、光学装置自体の構造に影響を与えることが無い。その為、プロジェクタの小型化及びランプの冷却機能に影響を与えることはなく破裂等で破損したランプのガラス片等がランプユニット４０の内部及び外面に付着した状態で引き出された際に、これらのガラス片等が剥離し落下した時は、上記底部１が受け止めることでランプ交換を行う作業者及び通行人等の頭上にガラス片等が零れ落ちることを防止することができる。更にランプ交換具をランプユニット４０共々プロジェクタ本体３０から取り外し別途用意した収納箱に納める際にも、底部１に溜まったガラス片等が零れ落ちないようにリアガード２、左のＬサイドガード３ｂ、右のＲサイドガード３ａ及びフロントガード４が設けられているため、ランプ交換を行う作業者及び通行人等の頭上にガラス片等が零れ落ちることをさらに防止することができる。
【００２８】
実施の形態３
上記実施の形態では、ランプユニット４０と共に破損したランプを抜き取る場合に、プロジェクタの外に放出される破裂等により破損したランプのガラス片等を受け止めるための受止手段を有する底部１と、この底部１で受け止めたガラス片等を零れ落とさないための防止手段を有する壁とで受け皿形状を構成することで、ランプ交換を行う作業者及び通行人等の頭上にガラス片等が零れ落ちることを防止していたが、前記受け皿形状を袋形状とすることでも、前記受止手段及び前記防止手段を備えることができ、破裂等で破損したランプを有するランプユニット４０をそっくりそのまま収納することでランプ交換を行う作業者及び通行人等の頭上にガラス片等が零れ落ちることをさらに防止することができる。ここで、袋形状とは、少なくとも１つの開口部を有し、ランプユニット４０の少なくとも１部又は全部を納めることができる形状（ここでは、伸縮可能な蛇腹構造を有する袋部１４）を指す。
【００２９】
図８はこの発明の実施の形態３におけるランプ交換具を示すものである。図８において、プロジェクタのランプ交換口３１の周囲を取り囲み中央部にランプ交換口３１の開口部と同程度の大きさを有する略四角形の刳り貫き部１２が設けられた枠状のフレーム部１３と、このフレーム部１３の外側に刳り貫き部１２を塞ぐ形で設けられた伸縮可能な蛇腹構造を有する袋部１４で構成され、フレーム部１３の内側下部にはランプ交換口３１下部との隙間を塞ぐ形でコの字板状の落下防止壁１５が設けられている。ここで、フレーム部１３の内側上部はランプ交換口３１上部のプロジェクタ本体３０の形状にあわせてやや斜め前方（プロジェクタ側）に傾斜しており、この部分の両端には取り外しが容易にできるようつまみ部１６が設けられ、中央付近にはランプ交換口３１に取り付け可能な上部爪部１７を有している。落下防止壁１５には左右に２箇所ランプ交換口３１に取り付け可能な下部爪部１８を設けている。
【００３０】
なお、上記袋部１４の最外面に位置する最外面部１９（図８においては裏側となり確認できない。図９参照）は外側からランプユニット４０の筐体後部に設けられた成形品である背面部品４１の外面に設けられたコの字状の金具であるハンドル部４２が摘めるように、例えばゴムとか布とかビニール等のように一定の伸縮性と柔軟性を有する。
【００３１】
図９はこの発明の実施の形態３におけるランプ交換具をプロジェクタのランプ交換口３１（ここではランプ交換具に覆われ確認できない。）に装着した状態を示すものである。図１０はこの発明の実施の形態３におけるランプ交換具をプロジェクタのランプ交換口３１に装着（図９参照）し、ランプユニット４０を引き出した状態を示すものである。これら図９及び図１０を用いて、この発明の実施の形態３におけるランプ交換具の使用方法及び作用について説明する。なお、プロジェクタ本体３０及びランプユニット４０の一般的な構造及び機能は周知であり、この発明の実施の形態３におけるランプ交換具を装着する上で説明が必要な部分以外の部分に関しては、本発明を説明する上で直接関係が無いことは自明であることから説明を省略する。また、通常ランプ交換口３１には視覚上及びランプユニット４０の容易な抜き取りを防止する目的からランプ交換口従来カバー３４（図１９参照）が設けられているが本実施の形態３に係る発明とは直接関係無いことから既に取り外された状態として説明する。
【００３２】
図９において、上記落下防止壁１５に設けられた左右２箇所の下部爪部１８（ここではランプ交換具に覆われ確認できない。）をランプ交換口３１下部に差し込む形で支持し、上部爪部１７（ここではランプ交換具に覆われ確認できない。）をランプ交換口３１の上部に押し込む形で固定する（この場合、例えば図１１に示すようにプロジェクタ本体３０においてこれら下部爪部１８及び上部爪部１７が勘合する構造を設ける必要があるが、プロジェクタ本体３０にこれらの構造を設けることは容易である。またプロジェクタ本体３０の構造に合わせる形で勘合可能なように上記爪部を設けることもプロジェクタによっては可能である。）。
【００３３】
次に図１０で示すように、上記袋部１４の最外面に位置する最外面部１９の外側からランプユニット４０の筐体後部に設けられた成形品である背面部品４１の外面に設けられたコの字状の金具であるハンドル部４２を後方に強く引くことでプロジェクタ本体３０の光学装置内にコネクター等で固定されていたランプユニット４０が引出可能となる。その後、袋部１４の蛇腹構造を伸ばしながらランプユニット４０全体が袋部１４内に収納（ここでは、ランプユニット４０がランプ交換具内に完全に移動した状態をいう。）されるまで引き出す。ランプユニット４０が完全に抜き取られた状態でランプ交換具をランプユニット４０共々プロジェクタ本体３０から取り外し、収納箱（図示は省略）に納める。その後、光学装置内に残ったガラス片等を取り除き新たなランプユニット４０を装着する。
【００３４】
このように構成されたランプ交換具においては、簡単な構成で実現でき、光学装置自体の構造に影響を与えることが無い。その為、プロジェクタの小型化及びランプの冷却機能に影響を与えることはなく破裂等で破損したランプのガラス片等がランプユニット４０の内部及び外面に付着した状態で引き出された際に、これらのガラス片等が剥離し落下した時は袋部１４内に留めることでランプ交換を行う作業者及び通行人等の頭上にガラス片等が零れ落ちることをより確実に防止することができる。
【００３５】
なお、この発明の実施の形態３におけるランプ交換具に使用する材料は紙、プラスチック、又は金属及びこれらの結合等、蛇腹構造を有する袋状を構成できランプユニット４０の重みに耐え得る強度を得ることができれば特に何であっても構わないことは明らかである。また、その他複数の素材を組み合わせて構成されていても、同様な機能が果たせれば全く問題ないことも明らかである。
【００３６】
実施の形態４
上記実施の形態では、プロジェクタ本体３０とは別にランプ交換具を設け、プロジェクタ本体３０に着脱可能な構成としていたが、プロジェクタ本体３０を形成する機構部品の少なくとも一部を構成する部品を用いてランプ交換具を構成しても良い。この実施の形態４では、受け皿形状が形成されている。ここで、受け皿形状とは、少なくとも周囲の１部又は全部に凸形状（ここでは下記周囲ガード２３）を有し、底面（ここでは下記受け部２２）にてガラス片等が受け止められる形状を指す。
【００３７】
図１２はこの発明の実施の形態４におけるランプ交換具を用いたプロジェクタを示すものである。図１２において、蓋式交換具２０はプロジェクタ本体３０に装着されたランプ交換口３１に設けられた開閉式の蓋を利用したランプ交換具である。通常ランプ交換口３１には視覚上及びランプユニット４０の容易な抜き取りを防止する目的からランプ交換口従来カバー３４が設けられているが、本実施の形態４におけるランプ交換具は、このランプ交換口従来カバー３４（図１９参照）を従来機能を残したまま利用したものである。
【００３８】
上記蓋式交換具２０は、略９０度に可倒開閉可能で、例えば図１４に示すように自由に脱着可能なヒンジ部２１を有し、前記ヒンジ部２１でプロジェクタ本体３０とランプ交換口３１の下部に接続されている。更に蓋式交換具２０の内面には破裂等で破損したランプのガラス片等がランプユニット４０の内部及び外面に付着した状態で引き出された際に剥離したガラス片等を受け止める為の受け部２２（前記実施の形態１における底部１と同様の作用が得られる。）が設けられ、この受け部２２の周囲には略垂直に、後方に位置し略長方形板状の形状を有するリア周囲ガード２３ａ、両側に位置し略長方形板状の形状を有するサイド周囲ガード２３ｂ、及び前方に位置し略長方形板状の形状を有するフロント周囲ガード２３ｃからなる周囲ガード２３（前記実施の形態１におけるリアガード２、サイドガード３及びフロントガード４と底部１で受け止めたガラス片等が零れ落ちないようにする点、更にランプユニット４０を引き出す際のガイド及びストッパーとなる点において、それぞれ対応する位置に設けられた周囲ガード２３は同様の機能を有する。）が所定の高さをもって設けられている。
【００３９】
上記受け部２２のプロジェクタ本体３０の上記ネジ穴３６に対応する位置には、ネジを挿入し上記蓋式交換具２０を閉じて固定する為のネジ挿入穴２４が所定の奥行き（倒した状態では高さ）をもって設けられている。
【００４０】
次に作用について説明する。図１３は蓋式交換具２０の受け部２２を受け皿としてランプユニット４０を引き出した状態を示した図である。プロジェクタ本体３０の光源装置からランプユニット４０を取り出す場合、最初にネジ挿入穴２４に挿入されているネジを緩め開閉可能な状態とする。次に蓋式交換具２０を可倒することで受け部２２はプロジェクタ側面と略９０度の角度を保った状態、すなわちランプユニット４０の引き出し方向と平行な状態で開固定される（図１２参照）。
【００４１】
この状態でランプユニット４０の筐体後部に位置する略四角形板状の背面部品４１の外面に設けられたコの字状の金具であるハンドル部４２を後方に引くことで、プロジェクタ本体３０の光学装置内にコネクター４３で固定されていたランプユニット４０が引出可能となる。次にハンドル部４２を左右のサイド周囲ガード２３ｂをガイドとして利用し更に引くことによりランプユニット４０が光学装置から完全に抜き取られ受け部２２上に移動する（この状態で、ランプユニット４０がランプ交換具に収納されたものとする。）。リア周囲ガード２３ａは背面部品４１の後面部が当たることでランプユニット４０が完全に抜き取られたことを確認する為の目安となると共にランプユニット４０を引き出す際のストッパーの役目も得る。
【００４２】
更にランプユニット４０が全て引き出された状態でヒンジ部２１をプロジェクタ本体から分離し（例えば、ヒンジ部２１は図１４に示すような構造をとることにより、脱着可能となる。）、受け部２２に溜まったガラス片等を破損したランプを有するランプユニット４０と共に収納箱に納める。その後、新たなランプユニットを挿入する。
【００４３】
ここで、蓋式交換具２０の長さ（倒した場合の前後距離をいう。ほぼプロジェクタの高さに等しい。）に比べ、ランプユニット４０の奥行きが長い場合は、例えば図１５に示すように蓋式交換具２０の受け部２２を２重に構成しスライドさせることにより伸縮自在に設計すればよい。しかし、蓋式交換具２０の長さが短い場合でも、同様な効果が得られれば伸長させるかどうかは任意であることはいうまでも無い。蓋式交換具２０に幅を持たせたい場合も同様な伸縮機構を設ければよい。
【００４４】
また、受け部２２に交換式の粘着シート等を装着できる構造とすることで、受け部２２に溜まったガラス片等を２次的に撒き散らすことなく効率的に処理できる。
【００４５】
このように構成されたランプ交換装置においては、前記実施の形態１における効果を得ることができることに加えて、プロジェクタ本体３０と別個にランプ交換具を備える必要が無く、機種に応じてランプ交換具を選択する手間が省けると共に誤装着のミスも防げる効果が得られる。更に使い捨て構造、紛失等も妨げられ、効率的に利用できる。
【００４６】
実施の形態５
図１６はこの発明の実施の形態５におけるランプ交換具を備えたプロジェクタを示すものである。上記実施の形態４では、ランプ交換口従来カバー３４（図１９参照）を従来機能を残したまま利用したものであるが、予めスライド稼動可能な引き出し式のトレー上にランプユニット４０を載せたまま光学装置に装着する構造としても良い。この実施の形態５では、受け皿形状が形成されている。ここで、受け皿形状とは、少なくとも周囲の１部又は全部に凸形状（ここでは前記周囲ガード２３）を有し、底面（ここでは前記受け部２２）にてガラス片等が受け止められる形状を指す。
【００４７】
図１６において、ユニット固定部２５は背面部品４１の後面部をリア周囲ガード２３ａとの間で挟持し、ランプユニット４０をランプ交換具上に固定する。例えば、図１８に示すようにサイド周囲ガード２３ｂに重ねて設けられたガイドレール２６により、ランプ交換具共々ランプユニット４０がスムースかつ傾斜することなく引き出せる。ガイドレール２６に設けられたガイドストッパー２７（図１８参照）はランプユニット４０を全て引き出した際のストッパーとして作用すると共に本体から分離できる構造となっている。ここで、上記実施の形態４で示された番号と同一番号が付された部分は、同様の作用効果を有する部分である為、説明を省略する。
【００４８】
次に作用について説明する。図１７はこの発明の実施の形態５におけるランプ交換具を引き出した状態を示した図である。以下、ランプ交換口従来カバー３４（図１９参照）は既に取り外されたものとして説明する。
【００４９】
ランプユニット４０の筐体後部に位置する略四角形板状の背面部品４１の外面に設けられたコの字状の金具であるハンドル部４２を後方に引くことで、プロジェクタ本体３０の光学装置内にコネクター４３で固定されていたランプユニット４０が引出可能となる。次にハンドル部４２を手前に引き、ガイドレール２６に添ってガイドストッパー２７に到達するまで引き出す（この状態は、ランプユニット４０がランプ交換具に収納された状態のまま引き出された状態を示す。）。この場合、ガイドレール２６はランプユニット４０の傾きを抑えるようにも作用する。
【００５０】
更にランプユニット４０がランプ交換具共々全て引き出された状態でガイドストッパー２７を回避するようにランプ交換具を持ち上げる（図１８参照）ことにより、ランプ交換具をランプユニット４０共々プロジェクタ本体３０から取り外すことができる。この状態で、ユニット固定部２５に挟持された状態を解除（背面部品４１の後面部を持ち上げて抜き取り可能な状態とする。）し、破損したランプを有するランプユニット４０を収納箱に納めると共に受け部２２に溜まったガラス片等もあわせて収納箱に納める。その後、新たなランプユニットをランプ交換具に固定し光学装置に装着する。
【００５１】
また、受け部２２に交換式の粘着シート等を装着できる構造とすることで、受け部２２に溜まったガラス片等を２次的に撒き散らすことなく効率的に処理できる。
【００５２】
このように構成されたランプ交換装置においては、上記実施の形態４と同様の効果が得られる。
【図面の簡単な説明】
【００５３】
【図１】この発明の実施の形態１におけるランプ交換具を示す図である。
【図２】この発明の実施の形態１におけるランプ交換具をプロジェクタのランプ交換口に装着した状態を示す図である。
【図３】この発明の実施の形態１におけるランプ交換具をプロジェクタのランプ交換口に装着し、ランプユニットを引き出した状態を示す図である。
【図４】この発明の実施の形態１におけるランプ交換具の補強対策を示す図である。
【図５】この発明の実施の形態１におけるランプ交換具の固定方法を示す図である。
【図６】この発明の実施の形態１におけるランプ交換具の折りたたみ構造を示す図である。
【図７】この発明の実施の形態２におけるランプ交換具をプロジェクタのランプ交換口に装着した状態を示す図である。
【図８】この発明の実施の形態３におけるランプ交換具を示す図である。
【図９】この発明の実施の形態３におけるランプ交換具をプロジェクタのランプ交換口に装着した状態を示す図である。
【図１０】この発明の実施の形態３におけるランプ交換具をプロジェクタのランプ交換口に装着し、ランプユニットを引き出した状態を示す図である。
【図１１】この発明の実施の形態３におけるランプ交換具のプロジェクタ側の取り付け構造を示す図である。
【図１２】この発明の実施の形態４におけるランプ交換具を示す図である。
【図１３】この発明の実施の形態４におけるランプ交換具上にランプユニットを引き出した状態を示す図である。
【図１４】この発明の実施の形態４におけるランプ交換具のヒンジ部の構造を示す図である。
【図１５】この発明の実施の形態４におけるランプ交換具の受け部の伸縮構造を示す図である。
【図１６】この発明の実施の形態５におけるランプ交換具を示す図である。
【図１７】この発明の実施の形態４におけるランプ交換具上にランプユニットを引き出した状態を示す図である。
【図１８】この発明の実施の形態５におけるランプ交換具のガイドレールの構造を示す図である。
【図１９】従来のプロジェクタを示す図である。
【符号の説明】
【００５４】
１  底部、２  リアガード、３  サイドガード、３ａ  Ｒサイドガード、３ｂ  Ｌサイドガード、４  フロントガード、５  アーム部、５ａ  折り曲げ構造、６  爪部、７  スカート部、８  天部、９  粘着テープ、１０  ステイ部、１１  ネジ貫通孔、１２  刳り貫き部、１３フレーム部、１４  袋部、１５  落下防止壁、１６  つまみ部、１７  上部爪部、１８  下部爪部、１９  最外面部、２０  蓋式交換具、２１  ヒンジ部、２２  受け部、２３  周囲ガード、２３ａ  リア周囲ガード、２３ｂ  サイド周囲ガード、２３ｃ  フロント周囲ガード、２４  ネジ挿入穴、２５  ユニット固定部、２６  ガイドレール、２７  ガイドストッパー、３０  プロジェクタ本体、３１  ランプ交換口、３２  吸排気口、３３  スリットカバー、３４  ランプ交換口従来カバー、３５  天面部、３６ネジ穴、４０  ランプユニット、４１  背面部品、４２  ハンドル部、４３  コネクター  
【図１】
2008065239.tif 000003
【図２】
2008065239.tif 000004
【図３】
2008065239.tif 000005
【図４】
2008065239.tif 000006
【図５】
2008065239.tif 000007
【図６】
2008065239.tif 000008
【図７】
2008065239.tif 000009
【図８】
2008065239.tif 000010
【図９】
2008065239.tif 000011
【図１０】
2008065239.tif 000012
【図１１】
2008065239.tif 000013
【図１２】
2008065239.tif 000014
【図１３】
2008065239.tif 000015
【図１４】
2008065239.tif 000016
【図１５】
2008065239.tif 000017
【図１６】
2008065239.tif 000018
【図１７】
2008065239.tif 000019
【図１８】
2008065239.tif 000020
【図１９】
2008065239.tif 000021